(57)【要約】【課題】従来のリバーシブル衣服は裏返して着てもニット生地であるので、大幅なイメージチェンジを図るのには限界があるという欠点があった。【解決手段】  本考案のリバーシブル衣服は、ニット衣服の一面に着物生地又は羽織生地をはぎ合わせたことを特徴とする。また、本考案のリバーシブル衣服は、ニット製のセーターと、ニット製のカーディガンと、織物製のコートと、１着の着物から切り取り夫々対応する部分にはぎ合わせた上記セーターの一方の面の前身頃と略同形状のセーター用着物生地と、上記カーディガンの一方の面の左側及び右側前身頃と略同形状のカーディガン用着物生地と、上記コートに縫い付ける上記コートの左側及び右側前身頃と略同形状のコート用着物生地と、上記コートの左側及び右側後身頃と略同形状のコート用着物生地と、上記コートの一方の袖と略同形状のコート用着物生地と、上記コートの他方の袖と略同形状のコート用着物生地とよりなることを特徴とする。【選択図】図６
0003123416.tif 000002
【実用新案登録請求の範囲】
【請求項１】
ニット衣服の一面に着物生地をはぎ合わせたことを特徴とするリバーシブル衣服。
【請求項２】
ニット製のセーターと、ニット製のカーディガンと、織物製のコートと、１着の着物から切り取り夫々対応する部分にはぎ合わせた上記セーターの一方の面の前身頃と略同形状のセーター用着物生地と、上記カーディガンの一方の面の左側及び右側前身頃と略同形状のカーディガン用着物生地と、上記コートに縫い付ける上記コートの左側及び右側前身頃と略同形状のコート用着物生地と、上記コートの左側及び右側後身頃と略同形状のコート用着物生地と、上記コートの一方の袖と略同形状のコート用着物生地と、上記コートの他方の袖と略同形状のコート用着物生地とよりなることを特徴とするリバーシブル衣服。
【請求項３】
上記１着の着物が２枚の矩形状の一方及び他方の着物身頃部分と、２枚の矩形状の一方及び他方の着物袖部分とより成り、
上記セーター用着物生地が上記着物の一方の袖部分から切り取られ、
上記カーディガン用着物生地が上記着物の他方の袖部分から切り取られ、
上記コートの左側及び右側前身頃に対応する上記コート用着物生地が上記着物の一方の身頃部分から切り取られ、
上記コートの左側及び右側後身頃に対応する上記コート用着物生地が上記着物の他方の身頃部分から切り取られ、
上記コートの一方の袖に対応する上記コート用着物生地が上記着物の上記一方の身頃部分及び上記着物の一方の袖部分から切り取られ、
上記コートの他方の袖に対応する上記コート用着物生地が上記着物の上記他方の身頃部分及び上記着物の一方の袖部分から切り取られていることを特徴とする請求項２記載のリバーシブル衣服。
【請求項４】
ニット衣服の一面に羽織生地をはぎ合わせたことを特徴とするリバーシブル衣服。
【請求項５】
ニット製のセーターと、ニット製のカーディガンと、織物製のコートと、１着の羽織から切り取り夫々対応する部分にはぎ合わせた上記セーターの一方の面の前身頃と略同形状のセーター用羽織生地と、上記カーディガンの一方の面の左側及び右側前身頃と略同形状のカーディガン用羽織生地と、上記コートに縫い付けられる上記コートの左側及び右側前身頃と略同形状のコート用羽織生地と、上記コートの左側及び右側後身頃と略同形状のコート用羽織生地と、上記コートの一方の袖と略同形状のコート用羽織生地と、上記コートの他方の袖と略同形状のコート用羽織生地とよりなることを特徴とするリバーシブル衣服。
【請求項６】
上記１着の羽織が矩形状の幅広部と幅狭部とからなる２枚の一方及び他方の羽織身頃部分と、矩形状の２枚の一方及び他方の羽織袖部分と、羽織衿部分とより成り、
上記セーター用羽織生地が上記羽織の一方の袖部分から切り取られ、
上記カーディガン用羽織生地が上記羽織の他方の袖部分から切り取られ、
上記コートの左側及び右側前身頃に対応する上記コート用羽織生地が上記羽織の羽織衿部分から切り取られ、
上記コートの左側及び右側後身頃に対応する上記コート用羽織生地が夫々上記羽織の一方及び他方の身頃部分の幅広部から切り取られ、
上記コートの一方の袖に対応する上記コート用羽織生地が上記羽織の一方の身頃部分の幅狭部及び上記羽織の一方の袖部分から切り取られ、
上記コートの他方の袖に対応する上記コート用羽織生地が上記羽織の他方の身頃部分の幅狭部及び上記羽織の一方の袖部分から切り取られていることを特徴とする請求項５記載のリバーシブル衣服。
【請求項７】
上記ニットのはぎ合わせた両縁部は、その縁部の目以外の目が増、減されていることを特徴とする請求項１、２、３、４、５または６記載のリバーシブル衣服。
【考案の詳細な説明】
【技術分野】
【０００１】
本考案はリバーシブル衣服、特に、着物生地又は羽織生地を有するリバーシブルセーター、カーディガン、コートに関するものである。
【背景技術】
【０００２】
従来、ニット製のリバーシブル衣服としては特許文献１がある。
【特許文献１】実開平１−１６８５７９号公報
【考案の開示】
【考案が解決しようとする課題】
【０００３】
然しながら、上記従来のリバーシブル衣服は裏返して着てもニット生地又は織物生地であるので、大幅なイメージチェンジを図るのには限界があった。
【０００４】
本考案は前記の欠点を除くようにしたものである。
【課題を解決するための手段】
【０００５】
本考案のリバーシブル衣服は、ニット衣服の一面に着物生地又は羽織生地をはぎ合わせたことを特徴とする。
【０００６】
また、本考案のリバーシブル衣服は、ニット製のセーターと、ニット製のカーディガンと、織物製のコートと、１着の着物から切り取り夫々対応する部分にはぎ合わせた上記セーターの一方の面の前身頃と略同形状のセーター用着物生地と、上記カーディガンの一方の面の左側及び右側前身頃と略同形状のカーディガン用着物生地と、上記コートに縫い付ける上記コートの左側及び右側前身頃と略同形状のコート用着物生地と、上記コートの左側及び右側後身頃と略同形状のコート用着物生地と、上記コートの一方の袖と略同形状のコート用着物生地と、上記コートの他方の袖と略同形状のコート用着物生地とよりなることを特徴とする。
【０００７】
また、上記１着の着物は、２枚の矩形状の一方及び他方の着物身頃部分と、２枚の矩形状の一方及び他方の着物袖部分とより成り、上記セーター用着物生地が上記着物の一方の袖部分から切り取られ、上記カーディガン用着物生地が上記着物の他方の袖部分から切り取られ、上記コートの左側及び右側前身頃に対応する上記コート用着物生地が上記着物の一方の身頃部分から切り取られ、上記コートの左側及び右側後身頃に対応する上記コート用着物生地が上記着物の他方の身頃部分から切り取られ、上記コートの一方の袖に対応する上記コート用着物生地が上記着物の上記一方の身頃部分及び上記着物の一方の袖部分から切り取られ、上記コートの他方の袖に対応する上記コート用着物生地が上記着物の上記他方の身頃部分及び上記着物の一方の袖部分から切り取られていることを特徴とする。
【０００８】
また、本考案のリバーシブル衣服は、ニット製のセーターと、ニット製のカーディガンと、織物製のコートと、１着の羽織から切り取り夫々対応する部分にはぎ合わせた上記セーターの一方の面の前身頃と略同形状のセーター用羽織生地と、上記カーディガンの一方の面の左側及び右側前身頃と略同形状のカーディガン用羽織生地と、上記コートに縫い付けられる上記コートの左側及び右側前身頃と略同形状のコート用羽織生地と、上記コートの左側及び右側後身頃と略同形状のコート用羽織生地と、上記コートの一方の袖と略同形状のコート用羽織生地と、上記コートの他方の袖と略同形状のコート用羽織生地とよりなることを特徴とする。
【０００９】
また、上記１着の羽織は、矩形状の幅広部と幅狭部とからなる２枚の一方及び他方の羽織身頃部分と、矩形状の２枚の一方及び他方の羽織部分と、羽織衿部分とより成り、上記セーター用羽織生地が上記羽織の一方の袖部分から切り取られ、上記カーディガン用羽織生地が上記羽織の他方の袖部分から切り取られ、上記コートの左側及び右側前身頃に対応する上記コート用羽織生地が上記羽織の羽織衿部分から切り取られ、上記コートの左側及び右側後身頃に対応する上記コート用羽織生地が夫々上記羽織の一方及び他方の身頃部分の幅広部から切り取られ、上記コートの一方の袖に対応する上記コート用羽織生地が上記羽織の一方の身頃部分の幅狭部及び上記羽織の一方の袖部分から切り取られ、上記コートの他方の袖に対応する上記コート用羽織生地が上記羽織の他方の身頃部分の幅狭部及び上記羽織の一方の袖部分から切り取られていることを特徴とする。
【００１０】
上記ニットのはぎ合わせた両縁部は、その縁部の目以外の目が増、減されていることを特徴とする。
【考案の効果】
【００１１】
本考案のリバーシブル衣服においては、衣服の一方の面はニット又は織物であり、他方の面は模様のある着物生地又は羽織生地をはぎ合わせているので、裏表で着替えることにより大幅なイメージチェンジを図ることができる大きな利益がある。
【００１２】
また、同時に着ることが可能なセーター、カーディガン、コートの３点セットに、１枚の着物又は羽織から切り取った生地を夫々はぎ合わせるので、セーター、カーディガン、コートを同時に着たときに模様の統一を図ることができる。
【００１３】
また、接続部分をリバーシブル仕上げとしたので、服をリバーシブルとして利用しても見た目が良い。
【００１４】
また、ニットの増目部分同士ではぎ合わせないので見た目が良い。
【考案を実施するための最良の形態】
【００１５】
以下図面によって本考案の実施例を説明する。
【実施例１】
【００１６】
本考案のリバーシブル衣服の第１の実施例においては、図１〜図４に示すように、同時に着ることが可能なシルクニット製のセーター（プルオーバー）１と、カーディガン２と、シルク織物製のコート３を３点セットとし、図５に示す１着の着物４を縫い合わせている糸をほどき、図６に示すように２枚の矩形状の一方及び他方の着物身頃部分５ａ，５ｂと、２枚の矩形状の一方及び他方の着物袖部分６ａ，６ｂとし、セーター１の一方の面のセーター前身頃７と略同形状のセーター用着物生地８を、上記一方の着物袖部分６ａから切り取り、上記セーター前身頃７にはぎ合わせる。
【００１７】
また、カーディガン２の一方の面の左側及び右側前身頃９ａ，９ｂと略同形状の左側及び右側のカーディガン用着物生地１０ａ，１０ｂを、上記他方の着物袖部分６ｂから切り取り、上記カーディガン２の対応する部分に夫々はぎ合わせる。
【００１８】
また、コート３の左側及び右側前身頃１１ａ，１１ｂと略同形状の左側及び右側のコート用着物生地１２ａ，１２ｂを、上記一方の着物身頃部分５ａから切り取り、コート３の左側及び右側後身頃１３ａ，１３ｂと略同形状の左側及び右側のコート用着物生地１４ａ，１４ｂを、上記他方の着物身頃部分５ｂから切り取り、コート３の一方の袖１５の一方の部分１５ａ及び他方の部分１５ｂと夫々略同一形状のコート用着物生地１６ａ，１６ｂを、夫々上記一方の着物身頃部分５ａ及び上記一方の着物袖部分６ａから切り取り、コート３の他方の袖１７の一方の部分１７ａ及び他方の部分１７ｂと夫々略同一形状のコート用着物生地１８ａ，１８ｂを、夫々上記他方の着物身頃部分５ｂ及び上記一方の着物袖部分６ａから切り取り、上記コート用着物生地１２ａ，１２ｂ，１４ａ，１４ｂ，１６ａ，１６ｂ，１８ａ，１８ｂを縫い合わせてコートを形成せしめ、上記コート３の一方の面に縫い付ける。
【００１９】
なお、上記ニット同士の接続部分及びニットと着物生地の接続部分ははぎ合せ（リバーシブル仕上げ）で仕上げる。
【００２０】
なお、上記各ニット衣服の、例えば袖部分などの袖口から肩口に向うにしたがってそのアームホールの径（内径）が徐々に拡大していく筒状部分を作る場合、図７に示すように、袖口の１段目の目数を例えば１０１目として、平編みの一目ゴム編みで８段編んでいき、次に、９段の右縁の目から左に向って４目まで編み、５目までの間に２目だけ増目し、更にその増目から左側に向って編み、左縁の目から数えて４目と５目との間に２目だけ増目とする。
【００２１】
次に、１０段から１６段まで増目した１０５目として一目ゴム編みで編んでいき、１７段目からは更に上記のように、右縁の目から４目から５目までの間に２目だけ増目し、更に、その増目から左に向って編み、左縁の目から数えて４目と５目との間に２目だけ増目し、以下同様に、例えば８段ごとに肩口まで順次増目し拡大形状のニット１９を作成せしめる。
【００２２】
次に図８に示すように上記ニット１９の両縁部２０，２０をはぎ合わせて筒状とし袖２１を作成せしめる。
【００２３】
本考案の第１の実施例のリバーシブル衣服においては、衣服の一方の面はニット又は織物であり、他方の面は模様のある着物生地をはぎ合わせているので、裏表で着替えることにより大幅なイメージチェンジを図ることができる大きな利益がある。
【００２４】
また、同時に着ることが可能なセーター、カーディガン、コートの３点セットに、１枚の着物から切り取った着物生地をはぎ合わせるので、セーター、カーディガン、コートを同時に着たときに模様の統一を図ることができる。
【００２５】
また、接続部分をリバーシブル仕上げとしたので、服をリバーシブルとして利用しても見た目が良い。
【００２６】
また、増目部分同士ではぎ合わせないので見た目が良い。
【００２７】
また、上記実施例においてはニットの両端から数えて夫々４目部分から増目をしたが、ニットの両縁の目から夫々２目以上の部分から増目を行ってもよい。
【００２８】
また、増目ではなく、同様にして減目を行っても良い。
【実施例２】
【００２９】
本考案のリバーシブル衣服の第２の実施例においては、上記第１の実施例の着物４を用いる代わりに、１着の羽織（図示せず）を用い、上記羽織を縫い合わせている糸をほどき、図９に示すように矩形状の幅広部と幅狭部とからなる２枚の羽織身頃部分２２ａ，２２ｂと、矩形状の２枚の一方及び他方の羽織袖部分２３ａ，２３ｂと、矩形状の１枚の羽織衿部分２４とし、図１０〜図１３に示すように、セーター１の一方の面のセーター前身頃７と略同形状のセーター用羽織生地２５を、上記一方の羽織袖部分２３ａから切り取り、上記セーター前身頃７にはぎ合わせる。
【００３０】
また、カーディガン２の一方の面の左側及び右側前身頃９ａ，９ｂと略同形状の左側及び右側のカーディガン用羽織生地２６ａ，２６ｂを、上記他方の羽織袖部分２３ｂから切り取り、上記カーディガン２の対応する部分に夫々はぎ合わせる。
【００３１】
また、コート３の左側及び右側前身頃１１ａ，１１ｂと略同形状の左側及び右側のコート用羽織生地２７ａ，２７ｂを、上記羽織衿部分２４から切り取り、コート３の左側及び右側後身頃１３ａ，１３ｂと略同形状の左側及び右側のコート用羽織生地２８ａ，２８ｂを、夫々上記一方及び他方の羽織身頃部分２２ａ，２２ｂの幅広部から切り取り、コート３の一方の袖１５の一方の部分１５ｃ及び他方の部分１５ｄと夫々略同一形状のコート用羽織生地２９ａ，２９ｂを、夫々上記一方の羽織身頃部分２２ａの幅狭部及び上記一方の羽織袖部分２３ａから切り取り、コート３の他方の袖１７の一方の部分１７ｃ及び他方の部分１７ｄと夫々略同一形状のコート用羽織生地３０ａ，３０ｂを、夫々上記他方の羽織身頃部分２２ｂの幅狭部及び上記一方の羽織袖部分２３ａから切り取り、上記コート用羽織生地２７ａ，２７ｂ，２８ａ，２８ｂ，２９ａ，２９ｂ，３０ａ，３０ｂを縫い合わせてコートを形成せしめ、上記コート３の一方の面に縫い付ける。
【００３２】
なお、上記ニット同士の接続部分及びニットと羽織生地の接続部分は上記第１の実施例と同様、はぎ合わせ（リバーシブル仕上げ）で仕上げ、また、上記ニット衣服の、例えば袖部分などの袖口から肩口に向かうにしたがってそのアームホールの径（内径）が徐々に拡大していく筒状部分を作る場合も、上記第１の実施例と同様に仕上げる。
【００３３】
また、コート３の左側及び右側後身頃１３ａ，１３ｂと略同形状の左側及び右側のコート用羽織生地２８ａ，２８ｂを、上記羽織衿部分２４から切り取り、上記左側及び右側前身頃１１ａ，１１ｂと略同形状の左側及び右側のコート用羽織生地２７ａ，２７ｂを、夫々上記一方及び他方の羽織身頃部分２２ａ，２２ｂの幅広部から切り取りとるようにしてもよい。
【００３４】
本考案の第２の実施例のリバーシブル衣服においては、衣服の一方の面はニット又は織物であり、他方の面は模様のある羽織生地をはぎ合わせているので、裏表で着替えることにより大幅なイメージチェンジを図ることができる大きな利益がある。
【００３５】
また、同時に着ることが可能なセーター、カーディガン、コートの３点セットに、１枚の着物から切り取った羽織生地をはぎ合わせるので、セーター、カーディガン、コートを同時に着たときに模様の統一を図ることができる。
【図面の簡単な説明】
【００３６】
【図１】本考案のリバーシブル衣服の第１の実施例のセーターの平面図である。
【図２】本考案のリバーシブル衣服の第１の実施例のカーディガンの平面図である。
【図３】本考案のリバーシブル衣服の第１の実施例のコートの平面図である。
【図４】本考案のリバーシブル衣服の第１の実施例のコートの底面図である。
【図５】本考案のリバーシブル衣服の第１の実施例に用いる着物の底面図である。
【図６】本考案のリバーシブル衣服の第１の実施例の着物生地を切り取る着物の説明用平面図である。
【図７】本考案のリバーシブル衣服の第１の実施例の袖部分の編地の平面図である。
【図８】本考案のリバーシブル衣服の第１の実施例の袖部分の斜視図である。
【図９】本考案のリバーシブル衣服の第２の実施例の羽織生地を切り取る羽織の説明用平面図である。
【図１０】本考案のリバーシブル衣服の第２の実施例のセーターの平面図である。
【図１１】本考案のリバーシブル衣服の第２の実施例のカーディガンの平面図である。
【図１２】本考案のリバーシブル衣服の第２の実施例のコートの平面図である。
【図１３】本考案のリバーシブル衣服の第２の実施例に用いる着物の底面図である。
【符号の説明】
【００３７】
１    セーター
２    カーディガン
３    コート
４    着物
５ａ  着物身頃部分
５ｂ  着物身頃部分
６ａ  着物袖部分
６ｂ  着物袖部分
７    セーター前身頃
８    セーター用着物生地
９ａ  左側前身頃
９ｂ  右側前身頃
１０ａ  カーディガン用着物生地
１０ｂ  カーディガン用着物生地
１１ａ  左側前身頃
１１ｂ  右側前身頃
１２ａ  コート用着物生地
１２ｂ  コート用着物生地
１３ａ  左側前身頃
１３ｂ  右側前身頃
１４ａ  コート用着物生地
１４ｂ  コート用着物生地
１５ａ  一方の部分
１５ｂ  他方の部分
１６ａ  コート用着物生地
１６ｂ  コート用着物生地
１７    他方の袖
１７ａ  一方の部分
１７ｂ  他方の部分
１７ｃ  一方の部分
１７ｄ  他方の部分
１８ａ  コート用着物生地
１８ｂ  コート用着物生地
１９    ニット
２０    両縁部
２１    袖
２２ａ  羽織身頃部分
２２ｂ  羽織身頃部分
２３ａ  羽織袖部分
２３ｂ  羽織袖部分
２４    羽織衿部分
２５    セーター用羽織生地
２６ａ  左側のカーディガン用羽織生地
２６ｂ  右側のカーディガン用羽織生地
２７ａ  左側のコート用羽織生地
２７ｂ  右側のコート用羽織生地
２８ａ  左側のコート用羽織生地
２８ｂ  右側のコート用羽織生地
２９ａ  コート用羽織生地
２９ｂ  コート用羽織生地
３０ａ  コート用羽織生地
３０ｂ  コート用羽織生地
【図１】
0003123416.tif 000003
【図２】
0003123416.tif 000004
【図３】
0003123416.tif 000005
【図４】
0003123416.tif 000006
【図５】
0003123416.tif 000007
【図６】
0003123416.tif 000008
【図７】
0003123416.tif 000009
【図８】
0003123416.tif 000010
【図９】
0003123416.tif 000011
【図１０】
0003123416.tif 000012
【図１１】
0003123416.tif 000013
【図１２】
0003123416.tif 000014
【図１３】
0003123416.tif 000015